(57)【要約】【課題】外部から送信された原稿情報の一部をプリントすることができるようにする。【解決手段】操作部２０からバス２６を介して入力されたキー情報に基づいて、特定色をプリントすることが選択されたか否かをＣＰＵ２２が判断し。この判断の結果、特定色をプリントすることが選択されていない場合には、ＦＡＸ塾からの受信した情報のうち、特定色の情報を除いてプリントするようにすることにより、ＦＡＸ塾から送信された解答付きの問題用紙のうち、問題のみが記載された用紙を生徒側のファクシミリ装置でプリントすることができるようにする。【選択図】      図１
2004193978.tif 000002
【特許請求の範囲】
【請求項１】
通信回線を介して接続された相手側の通信装置と、原稿情報をカラー情報として通信することが可能な通信装置であって、
特定色のプリントを許可する許可手段と、
上記相手側の通信装置から送信された原稿情報のうち、上記許可手段により許可されない場合には特定色の情報をプリント対象外にし上記プリント対象外にした特定色の情報を除いて上記原稿情報をプリントするとともに上記許可手段により許可された場合には特定色の情報をプリント対象とするプリント手段を有することを特徴とする通信装置。
【発明の詳細な説明】
【０００１】
【発明の属する技術分野】
本発明は、通信装置に関し、特に、外部から送信された原稿情報をプリントするために用いて好適なものである。
【０００２】
【従来の技術】
従来のファクシミリ装置は、ITU-T勧告に基づいて設計されている。この勧告では、受信機から送信機にJPEG受信機能の有無を通知するとともに、フルカラー受信機能の有無を通知する。一方、送信機から受信機へは、JPEG送信の指定の有無を通知するとともに、フルカラー送信の指定の有無を通知する。
【０００３】
すなわち、カラー通信が選択されると、原稿情報をカラー情報として読み取り、カラー送信していた。一方、モノクロ通信が選択されると、原稿情報をモノクロ情報として読み取り、モノクロ送信していた。
【０００４】
【発明が解決しようとする課題】
しかしながら、上述した従来の技術では、カラーで表されている原稿情報の通信を行う時には、原稿情報の全てのカラー情報を送信側で読み取って受信機側に送信し、上記原稿情報の全てのカラー情報を受信機側で受信して記録するようにしていた。また、原稿にモノクロで表されている原稿情報の通信を行う時には、原稿情報の全てのモノクロ情報を送信機側で読み取って受信機側に送信し、上記原稿情報の全てのモノクロ情報を上記受信機側で受信して記録するようにしていた。
【０００５】
すなわち、従来の技術では、カラー情報でもモノクロ情報でも、読み取り可能な情報を送信機で全て読み取って受信機に送信し、上記送信した情報を上記受信機で記録していた。そして、上記受信機では、上記記録した情報の全てをプリントするようにしていた。
【０００６】
このため、例えば、ＦＡＸ塾を考えた場合、問題用紙と、その回答を記入した用紙とを２種類作成して、ＦＡＸ通信しなければならなかった。したがって、作成する原稿が多くなるとともに、送信機と受信機との間で行われる通信の回数も多くなり、無駄になるという欠点があった。
このように、従来の技術では、外部から送信された原稿情報の一部をプリントすることが困難であるという問題点があった。
【０００７】
本発明は、上述の問題点に鑑みてなされたものであり、外部から送信された原稿情報の一部をプリントすることができるようにすることを目的とする。
【０００８】
【課題を解決するための手段】
本発明の通信装置は、通信回線を介して接続された相手側の通信装置と、原稿情報をカラー情報として通信することが可能な通信装置であって、特定色のプリントを許可する許可手段と、上記相手側の通信装置から送信された原稿情報のうち、上記許可手段により許可されない場合には特定色の情報をプリント対象外にし上記プリント対象外にした特定色の情報を除いて上記原稿情報をプリントするとともに上記許可手段により許可された場合には特定色の情報をプリント対象とするプリント手段を有することを特徴としている。
【０００９】
【発明の実施の形態】
（第１の実施例の形態）
以下、図面を参照しながら、本発明の通信装置の実施の形態を詳細に説明する。
図１は、本発明の第１の実施の形態を示し、通信装置として配設されるファクシミリ装置の構成の一例を示したブロック図である。
【００１０】
２は、ＮＣＵ（網制御装置）であり、電話網をデータ通信等に使用するために、その回線の端末に接続し、電話交換網への接続制御を行ったり、データ通信路への切り換えを行ったり、ループの保持を行ったりするものである。
【００１１】
また、ＮＣＵ２は、バス２６からの制御により、電話回線２ａを電話機４側に接続（ＣＭＬオフ）したり、電話回線２ａをファクシミリ装置側に接続（ＣＭＬオン）したりするものである。なお、通常状態では、電話回線２ａは、電話機４側に接続されている。
【００１２】
４は、電話機である。
６は、ハイブリッド回路であり、送信系の信号と受信系の信号とを分離し、加算回路１２からの送信信号をＮＣＵ２経由で電話回線２ａに送出する。また、このハイブリッド回路６は、相手側からの信号をＮＣＵ２経由で受け取り、信号線６ａ経由で復調器８に送る。
【００１３】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。
【００１４】
変復調器８は、バス２６からの送信信号を入力して変調を行い、変調データを信号線８ａに出力する。また、変復調器８は、信号線６ａに出力されている受信信号を入力して復調を行い、復調データをバス２６に出力する。
【００１５】
１０は、発呼回路であり、バス２６からの信号により、電話番号情報を入力し、信号線１０ａにＤＴＭＦ（Dial Tone Multi Frequency）の選択信号を出力する。
【００１６】
１２は、加算回路であり、信号線８ａの情報と信号線１０ａの情報とを入力して加算し、加算した結果を信号線１２ａに出力する。
【００１７】
１４は、カラー情報を読み取り可能な読取回路であり、読み取りデータをバス２６に出力する。
【００１８】
１６は、カラー情報を記録可能な記録回路であり、バス２６に出力されている情報を１ライン毎に順次記録する。
【００１９】
１８は、メモリ回路であり、ワーク用のメモリ（ＲＡＭ）としての機能を有するとともに、読み取りデータの生情報や符号化した情報を格納したり、受信情報や復号化した情報等を、バス２６を介して格納したりするために使用する。
【００２０】
また、メモリ回路１８には、特定色の情報をプリントする時のパスワードを登録するメモリがある。また、ＦＡＸ塾の電話番号を記憶するメモリがある。これらのパスワードやＦＡＸ塾の電話番号は、図２に示すようにして記憶されている。
【００２１】
ここで、上記パスワードは、初期値として９９９９が記憶されている。そして、上記パスワードがこの値の場合には、新規のパスワードを登録できる。一方、９９９９以外のパスワードが登録されている状態では、以前に登録されているパスワードを入力した後に新規のパスワードを登録することが可能になる。
【００２２】
２０は、操作部であり、ワンタッチダイヤル、短縮ダイヤル、テンキー、スタートキー、ストップキー、セットキー、原稿情報をカラー情報として送信することをユーザに選択させるためのカラー送信選択キー、特定色のプリントも合わせて行うことをユーザに選択させるための選択キー、上述したパスワードやＦＡＸ塾の電話番号などをメモリ回路１８へ登録するための登録キー、その他のファンクションキーがあり、押下されたキー情報はバス２６に出力される。なお、上記原稿情報とは、原稿上に表されている文字、図形、記号、写真などの情報である。
【００２３】
さらに、操作部２０は、表示部を有しており、バス２６に出力されている情報をこの表示部に表示するように構成されている。
【００２４】
２２は、ＣＰＵ（中央処理装置）であり、ファクシミリ全体の制御をしたり、ファクシミリ伝送制御手順を実行したりする。このＣＰＵ２２で行われる処理を実行するための制御プログラムは、ＲＯＭ２４に格納されている。
２６は、バスである。
【００２５】
上述したようにＲＯＭ２４には、ＣＰＵ２２で行われる処理を実行するための制御プログラムが格納されている。
具体的に説明すると、上記制御プログラムは、ＪＰＥＧ情報の受信機能の有無を通信相手のファクシミリ装置に通知する処理と、フルカラー情報の受信機能の有無を通信相手のファクシミリ装置に通知する処理と、ＪＰＥＧ情報の送信を通信相手のファクシミリ装置に指定する処理と、フルカラー情報の送信を通信相手のファクシミリ装置に指定する処理と、通信相手のファクシミリ装置から受信したカラー情報における特定色の情報をプリントしないようにする処理とを行う。
【００２６】
そして、上記制御プログラムは、メモリ受信したカラー情報における特定色の情報をプリントする否かを、ユーザからの指示に基づいて選択する処理も行う。なお、この制御プログラムでは、特定の宛先からカラー情報を受信した時に限り、上記メモリ受信を強制的に実行するようにする。ここで、メモリ受信とは、受信した情報を直ちにプリントせずに、メモリに一旦記憶させるようにすることを言う。
【００２７】
さらに、上記制御プログラムは、上記特定の宛先からのメモリ受信したカラー情報に含まれている特定色の情報をプリントする場合には、上記パスワードの照合を行い、この照合を行った後にプリントする。なお、本実施の形態では、上記特定色をＲ（赤色）とする。
以上のような制御プログラムがＲＯＭ２４に格納されている。
【００２８】
図３〜７は、本実施の形態のファクシミリ装置における制御動作の一例を説明するフローチャートである。
図３において、ステップＳ０は、処理の始めを表している。
【００２９】
そして、ステップＳ２において、ＣＰＵ２２は、バス２６を介して、メモリ回路１８をイニシャライズする。
次に、ステップＳ４において、ＣＰＵ２２は、バス２６を介して、操作部２０に配設されている表示部の表示内容をクリアする。
【００３０】
次に、ステップＳ６において、ＣＰＵ２２は、バス２６を介してＮＣＵ２のＣＭＬをオフ（電話回線２ａを電話機４側に接続）する。
次に、ステップＳ８において、ＣＰＵ２２は、操作部２０からのキー情報に基づいて、ファクシミリ受信が選択されたか否かを判断する。この判断の結果、ファクシミリ受信が選択された場合には、後述する図６のステップＳ４０に進む。一方、ファクシミリ受信が選択されていない場合には、ステップＳ１０に進み、その他の処理を実行する。
【００３１】
次に、ステップＳ１２において、ＣＰＵ２２は、操作部２０からバス２６を介して入力されたキー情報に基づいて、ＦＡＸ塾の電話番号の登録が選択されたか否かを判断する。この判断の結果、ＦＡＸ塾の電話番号の登録が選択された場合には、ステップＳ１４に進み、ＣＰＵ２２は、ＦＡＸ塾の電話番号を、バス２６を介してメモリ回路１８に登録する。一方、ＦＡＸ塾の電話番号の登録が選択された場合には、ステップＳ１４を省略してステップＳ１６に進む。
【００３２】
次に、ステップＳ１６において、ＣＰＵ２２は、操作部２０からバス２６を介して入力されたキー情報に基づいて、パスワードの登録が選択されたか否かを判断する。この判断の結果、パスワードの登録が選択された場合には、ステップＳ１８に進む。一方、パスワードの登録が選択されていない場合には、後述する図４のステップＳ２４に進む。
【００３３】
そして、ステップＳ１８において、ＣＰＵ２２は、メモリ回路１８に記憶されている情報を入力し、登録されている現在のパスワードが９９９９であるか否かを判断する。この判断の結果、登録されている現在のパスワードが９９９９である場合には、ステップＳ２２に進み、ＣＰＵ２２は、操作部２０からバス２６を介して入力されたキー情報に基づいて、特定色も合わせてプリントするためのパスワードをメモリ回路１８に登録する。一方、登録されている現在のパスワードが９９９９でない場合には、ステップＳ２０に進む。
【００３４】
そして、ステップＳ２０において、ＣＰＵ２２は、メモリ回路１８に登録されている現在のパスワードを入力した後、操作部２０からバス２６を介して入力されたキー情報に基づいて、特定色も合わせてプリントするための新規のパスワードをメモリ回路１８に登録する。
【００３５】
次に、図４のステップＳ２４において、ＣＰＵ２２は、操作部２０からバス２６を介して入力されたキー情報に基づいて、ＦＡＸ塾から受信した情報をプリントすることが選択されたか否かを判断する。この判断の結果、ＦＡＸ塾から受信した情報をプリントすることが選択されている場合には、ステップＳ２６に進む。一方、ＦＡＸ塾から受信した情報をプリントすることが選択されていない場合には、後述する図５のステップＳ３６に進む。
【００３６】
そして、ステップＳ２６において、ＣＰＵ２２は、操作部２０からバス２６を介して入力されたキー情報に基づいて、特定色も合わせてプリントすることが選択されたか否かを判断する。この判断の結果、特定色も合わせてプリントすることが選択されている場合には、ステップＳ３０に進む。一方、特定色も合わせてプリントすることが選択されていない場合には、ステップＳ２８に進む。
【００３７】
そして、ステップＳ２８において、ＣＰＵ２２は、ＦＡＸ塾からの受信した情報を、特定色を除いてプリントするように制御した後、ステップＳ６に戻る。ここで、ＦＡＸ塾から受信した情報は、ＪＰＥＧ情報であり、ＣＰＵ２２は、このＪＰＥＧ情報を復号化し、Ｌａｂ、さらにＲＧＢとしてＲ成分を除去する。ここでのＲ成分の除去はＲ成分の印字を制御する印字指示信号を出力しないことによって、Ｒ成分を印字しないようにしてＲ成分を除去する。また、Ｒ成分の印字を禁止する信号を出力するようにしても構わない。
【００３８】
一方、ステップＳ３０においては、ＣＰＵ２２は、操作部２０に配設されている表示部に、「特定色を合わせてのプリントするためのパスワードを入力して下さい。」と表示させる。ここで、何らかのキー操作でこの表示を消去する。
【００３９】
次に、ステップＳ３２において、ＣＰＵ２２は、所定時間以内にパスワードの入力があるか否かを判断する。この判断の結果、所定時間以内にパスワードの入力があった場合には、ステップＳ３４に進み、ＣＰＵ２２は、ＦＡＸ塾から受信した情報を特定色も合わせてプリントするように制御してプリントした後、上述したステップＳ６に戻る。一方、所定時間以内にパスワードの入力がない場合には、そのままステップＳ６に戻る。
【００４０】
上述したステップＳ２４において、ＦＡＸ塾から受信した情報をプリントすることが選択されていないと判断した場合には、図５のステップＳ３６において、ＣＰＵ２２は、操作部２０からバス２６を介して入力されたキー情報に基づいて、上記ＦＡＸ塾から受信した情報を消去することが選択されたか否かを判断する。この判断の結果、上記ＦＡＸ塾から受信した情報を消去することが選択された場合には、ステップＳ３８に進み、ＣＰＵ２２は、上記ＦＡＸ塾から受信した情報をメモリ回路１８から消去して上述したステップＳ６に戻る。一方、上記ＦＡＸ塾から受信した情報を消去することが選択されていない場合には、そのまま上述したステップＳ６に戻る。
【００４１】
上述したステップＳ８において、ファクシミリ受信が選択された場合には、図６のステップＳ４０に進み、ＣＰＵ２２は、バス２６を介してＮＣＵ２のＣＭＬをオン（電話回線２ａをファクシミリ装置側に接続）する。
【００４２】
次に、ステップＳ４２において、ＣＰＵ２２は、自機にカラーの受信機能が有ることを通信相手のファクシミリ装置に通知する処理を含む所定の前手順を実行する。
【００４３】
次に、ステップＳ４４において、ＣＰＵ２２は、受信した電話番号がＦＡＸ塾の電話番号と一致するか否かを判断する。この判断の結果、受信した電話番号がＦＡＸ塾の電話番号である場合には、後述する図７のステップＳ５０に進む。一方、受信した電話番号がＦＡＸ塾の電話番号でない場合には、ステップＳ４６に進む。
【００４４】
そして、ステップＳ４６において、ＣＰＵ２２は、通信相手のファクシミリ装置から電話回線２ａを介して受信した画像信号をメモリ回路１８に記録する。ここで、上記通信相手のファクシミリ装置（送信機）からカラー通信することが指定されている時には、カラープリントする。
【００４５】
次に、ステップＳ４８において、ＣＰＵ２２は、所定の後手順を実行する。
次に、図７のステップＳ５０において、ＣＰＵ２２は、上記通信相手のファクシミリ装置（送信機）から、カラー通信することが指定されたか否かを判断する。この判断の結果、カラー通信することが指定された場合にはステップＳ５２に進む。一方、カラー通信することが指定されていない場合には、後述するステップＳ５６に進む。
【００４６】
そして、ステップＳ５２において、ＣＰＵ２２は、カラー画像信号をメモリ受信する。
次に、ステップＳ５４において、ＣＰＵ２２は、所定の後手順を実行した後、上述したステップＳ６に戻る。
【００４７】
一方、上述したステップＳ５０においてカラー通信することが指定されていない場合には、ステップＳ５６において、ＣＰＵ２２は、画像信号を受信してメモリ回路１８に記録する。
次に、ステップＳ５８において、ＣＰＵ２２は、所定の後手順を実行した後、上述したステップＳ６に戻る。
【００４８】
以上のように本実施の形態では、ＦＡＸ塾のファクシミリ装置から送信した情報を、生徒のファクシミリ装置でプリントするに際し、特定色を除いてプリントするか否かを選択し、その選択結果に応じて上記ＦＡＸ塾のファクシミリ装置から送信された情報をプリントするようにしたので、例えば、黒文字の問題と赤文字の解答とが記載された１枚の問題用紙をＦＡＸ塾側から生徒側に送信するだけで、生徒側では、黒文字の問題だけが記載された問題用紙と、黒文字の問題と赤文字の解答の両方が記載された問題用紙の両方をプリントすることができる。すなわち、送信側のファクシミリ装置から解答付きの問題用紙を１度送信すれば、問題のみが記載された用紙と、解答付きの用紙との両方を受信側のファクシミリ装置でプリントすることができる。これにより、通信費を節約することが可能になる。
【００４９】
また、パスワードを照合した後に特定色の情報をプリントアウトするようにしたので、問題の解答を子供が勝手にプリントアウトしてしまうことを防止することができる。
さらに、生徒のファクシミリ装置では、ＦＡＸ塾から送信された情報をメモリ受信するようにしたので、問題用紙を受信したファクシミリ装置から、問題用紙をいつでもプリントすることができる。これにより、受信（生徒）側の都合の悪い時間（例えば夜間）であっても、ＦＡＸ塾は、問題用紙を送信することができるとともに、生徒は、問題用紙を好きなときにプリントすることができる。
【００５０】
（第２の実施例の形態）
次に、図面を参照しながら、本発明の第２の実施の形態について説明する。なお、上述した第１の実施の形態のファクシミリ装置と同一の部分には、同一の符号を付して詳細な説明を省略する。
【００５１】
本実施の形態では、上述した第１の実施の形態のファクシミリ装置に対し、複数色の中から１色を選択する手段を付加し、上記複数色の中の１色を上記特定色としてユーザが選択できるようにしている。本実施の形態では、選択可能な特定色を、赤色（Ｒ）、緑色（Ｇ）、及び青色（Ｂ）とする。
【００５２】
そして、このような選択を実現することができるように、本実施の形態のファクシミリ装置では、図１に示した第１の実施の形態のファクシミリ装置の操作部２０に、上記特定色を選択させるようにするための選択キーを付加する。
【００５３】
図８は、本実施の形態のファクシミリ装置における主要な制御動作の一例を説明するフローチャートである。図８のフローチャートでは、図３〜図７のフローチャートと異なる処理について図示している。
【００５４】
図８において、ステップＳ６０は、上述した図４のステップＳ２６において特定色をあわせてプリントすることが選択されていないこと（ステップＳ２６でＮＯと判断されたこと）を表している。
【００５５】
そして、ステップＳ６２において、ＣＰＵ２２は、操作部２０からバス２６を介して入力されたキー情報に基づいて、特定色として選択されている色を判断する。この判断の結果、赤が選択されている場合には、ステップＳ６８（図４のステップＳ２８）に進む。緑が選択されている場合には、ステップＳ６４に進む。青が選択されている場合にはステップＳ６６に進む。
【００５６】
そして、緑が選択されている場合にはステップＳ６４において、ＣＰＵ２２は、ＦＡＸ塾から受信した情報を、特定色（緑色）を除いてプリントするようにした後、ステップＳ７０（上述した図３のステップＳ６）に進む。ここで、ＦＡＸ塾から受信した情報は、ＪＰＥＧ情報であり、ＣＰＵ２２は、このＪＰＥＧ情報を復号化し、Ｌａｂ、さらにＲＧＢとしてＧ成分を除去する。
【００５７】
また、青が選択されている場合にはステップＳ６６において、ＣＰＵ２２は、ＦＡＸ塾から受信した情報を、特定色（青色）を除いてプリントするようにした後、ステップＳ７０（上述した図３のステップＳ６）に進む。ここで、ＦＡＸ塾から受信した情報は、ＪＰＥＧ情報であり、ＣＰＵ２２は、このＪＰＥＧ情報を復号化し、Ｌａｂ、さらにＲＧＢとしてＢ成分を除去する。
【００５８】
以上のように本実施の形態では、複数色の中の１色を特定色としてユーザが選択できるようにし、上記選択した特定色の情報をプリントしないようにしたので、上述した第１の実施の形態における効果に加え、上記特定色が送信先により異なるような場合には、受信側で特定色を任意に選択してプリントすることができる。これにより、受信側における使い勝手を向上させることができる。
【００５９】
（第３の実施の形態）
次に、図面を参照しながら、本発明の第３の実施の形態について説明する。なお、上述した第１及び第２の実施の形態のファクシミリ装置と同一の部分には、同一の符号を付して詳細な説明を省略する。
【００６０】
本実施の形態のファクシミリ装置は、特定の宛先（特定のファクシミリ装置）からの受信時に限りメモリ受信を実行し、上記メモリ受信した情報に対して、特定色のみをプリントするか、または全ての色のプリントをするかの何れかを、ユーザからの指示に基づいて選択する手段を有する。ここで、特定の宛先からメモリ受信した情報をプリントする処理は、パスワードを照合した後に実行する。また、本実施の形態では、特定色を赤色（Ｒ）とする。
【００６１】
そして、このような処理を実現することができるように、本実施の形態のファクシミリ装置では、図１に示した第２の実施の形態のファクシミリ装置の操作部２０における「特定色のプリントも合わせて行うことを選択させるようにするための選択キー」の代わりに、「特定色のみをプリントすることを選択させるようにするための選択キー」を配設するようにする。
【００６２】
図９は、本実施の形態のファクシミリ装置における主要な制御動作の一例を説明するフローチャートである。図９のフローチャートでは、図３〜図７のフローチャートと異なる処理について図示している。
【００６３】
図９において、ステップＳ８０は、上述した図４のステップＳ２４においてＦＡＸ塾から受信した情報をプリントすることが選択されたこと（ステップＳ２４でＹＥＳと判断されたこと）を表している。
【００６４】
そして、ステップＳ８２において、ＣＰＵ２２は、操作部２０に配設されている表示部に、「パスワードを入力して下さい。」と表示させる。ここで、何らかのキー操作でこの表示を消去する。
【００６５】
次に、ステップＳ８４において、ＣＰＵ２２は、所定時間以内にパスワードの入力があるか否かを判断する。この判断の結果、所定時間以内にパスワードの入力があった場合には、ステップＳ８６に進む。一方、所定時間以内にパスワードの入力がない場合には、ステップＳ９２（上述した図３のステップＳ６）に進む。
【００６６】
そして、ステップＳ８６において、ＣＰＵ２２は、操作部２０からバス２６を介して入力されたキー情報に基づいて、特定色のみをプリントすることが選択されたか否かを判断する。この判断の結果、特定色のみをプリントすることが選択された場合には、ステップＳ９０に進む。一方、特定色のみをプリントすることが選択されていない場合には、ステップＳ８８（上述した図４のステップＳ３４）に進む。
【００６７】
そして、ステップＳ９０において、ＣＰＵ２２は、ＦＡＸ塾から受信した情報の特定色のみをプリントするようにする。ここで、ＦＡＸ塾から受信した情報は、ＪＰＥＧ情報であり、ＣＰＵ２２は、このＪＰＥＧ情報を復号化し、Ｌａｂ、さらにＲＧＢとしてＲ成分のみをプリントする。ここで、Ｒ成分のみの抽出は、Ｇ成分及びＢ成分の印字を制御する印字指示信号を出力しないことによって、Ｇ成分及びＢ成分を印字しないようにしてＲ成分のみを抽出する。また、Ｇ成分及びＢ成分の印字を禁止する信号を出力するようにしても構わない。
【００６８】
以上のように本実施の形態では、特定の宛先（特定のファクシミリ装置）からの受信時に限りメモリ受信を実行し、上記メモリ受信した情報に対して、特定色のみをプリントするか、または全ての色のプリントをするかの何れかを、ユーザからの指示に基づいて選択するようにしたので、上述した第１の実施の形態の効果に加え、メモリ回路１８の容量を可及的に減らすことができる。
【００６９】
（第４の実施の形態）
次に、図面を参照しながら、本発明の第４の実施の形態について説明する。なお、上述した第１、第３の実施の形態のファクシミリ装置と同一の部分には、同一の符号を付して詳細な説明を省略する。
【００７０】
本実施の形態では、上述した第３の実施の形態のファクシミリ装置に対し、複数色の中から１色を選択する手段を付加し、上記複数色の中の１色を上記特定色としてユーザが選択できるようにしている。本実施の形態では、選択可能な特定色を、赤色（Ｒ）、緑色（Ｇ）、青色（Ｂ）とする。
【００７１】
そして、このような選択を実現することができるように、本実施の形態のファクシミリ装置では、第３の実施のファクシミリ装置の操作部２０に対して、上記特定色を選択させるようにするための選択キーを付加している。
【００７２】
図１０は、本実施の形態のファクシミリ装置における主要な制御動作の一例を説明するフローチャートである。図１０のフローチャートでは、図３〜７、及び図９のフローチャートと異なる処理について図示している。
【００７３】
図１０において、ステップＳ１００は、上述した図９のステップＳ８６において特定色のみをプリントすることが選択されたこと（ステップＳ８６でＹＥＳと判断されたこと）を表している。
【００７４】
そして、ステップＳ１０２において、ＣＰＵ２２は、バス２６を介して、操作部２０からバス２６を介して入力しされたキー情報に基づいて、特定色として選択されている色を判断する。この判断の結果、赤が選択されている場合には、ステップＳ１０４（上述した図１０のＳ９０）に進む。緑が選択されている場合にはステップＳ１０６に進む。青が選択されている場合にはステップＳ１０８に進む。
【００７５】
そして、緑が選択されている場合にはステップＳ１０６において、ＣＰＵ２２は、ＦＡＸ塾から受信した情報の特定色（緑色）のみをプリントするように制御した後、ステップＳ１１０（上述した図３のステップＳ６）に進む。ここで、ＦＡＸ塾から受信した情報は、ＪＰＥＧ情報であり、ＣＰＵ２２は、このＪＰＥＧ情報を復号化し、Ｌａｂ、さらにＲＧＢとしてＧ成分のみプリントする。
【００７６】
また、青が選択されている場合にはステップＳ１０８において、ＣＰＵ２２は、ＦＡＸ塾から受信した情報の特定色（青色）のみをプリントするように制御した後、ステップＳ１１０（上述した図３のステップＳ６）に進む。ここで、ＦＡＸ塾から受信した情報は、ＪＰＥＧ情報であり、ＣＰＵ２２は、このＪＰＥＧ情報を復号化し、Ｌａｂ、さらにＲＧＢとしてＢ成分のみプリントする。
【００７７】
以上のように本実施の形態では、複数色の中の１色を特定色としてユーザが選択できるようにし、上記選択した特定色の情報のみをプリントするようにしたので、上述した第３の実施の形態における効果に加え、上記特定色が送信先により異なるような場合には、受信側で特定色を任意に選択してプリントすることができ、受信側における使い勝手を向上させることができる。
【００７８】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００７９】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００８０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００８１】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００８２】
本発明の実施態様の例を以下に列挙する。
（実施態様１）  通信回線を介して接続された相手側の通信装置と、原稿情報をカラー情報として通信することが可能な通信装置であって、特定色のプリントを許可する許可手段と、上記相手側の通信装置から送信された原稿情報のうち、上記許可手段により許可されない場合には特定色の情報をプリント対象外にし上記プリント対象外にした特定色の情報を除いて上記原稿情報をプリントするとともに上記許可手段により許可された場合には特定色の情報をプリント対象とするプリント手段を有することを特徴とする通信装置。
【００８３】
（実施態様２）  上記相手側の通信装置が特定の通信装置であるか否かを判断する判断手段を有し、上記記憶手段は、上記判断手段により上記相手側の通信装置が特定の通信装置であると判断された場合に、上記原稿情報をメモリに記憶することを特徴とする実施態様１に記載の通信装置。
【００８４】
（実施態様３）  上記許可手段は、上記プリント手段によるプリントを実行するためのパスワードをメモリに記憶して登録するパスワード登録手段と、上記パスワードを入力するパスワード入力手段と、上記パスワード入力手段により入力されたパスワードと、上記パスワード登録手段により登録されたパスワードとを照合する照合手段とを有し、上記プリント手段は、上記照合手段により照合した２つのパスワードが一致した後に、上記特定色の情報を含めて上記原稿情報をプリントすることを特徴とする実施態様１または２に記載の通信装置。
【００８５】
（実施態様４）  通信回線を介して接続された相手側の通信装置と、原稿情報をカラー情報として通信することが可能な通信装置であって、特定色のプリントを許可する許可手段と、上記相手側の通信装置から送信された原稿情報のうち、上記許可手段により許可されない場合には特定色の情報のみをプリント対象にし上記プリント対象にした特定色の情報のみをプリントするとともに上記許可手段により許可された場合には特定色の情報をプリント対象とするプリント手段を有することを特徴とする通信装置。
【００８６】
（実施態様５）  上記相手側の通信装置が特定の通信装置であるか否かを判断する判断手段を有し、上記記憶手段は、上記判断手段により上記相手側の通信装置が特定の通信装置であると判断された場合に、上記原稿情報をメモリに記憶することを特徴とする実施態様４に記載の通信装置。
【００８７】
（実施態様６）  上記許可手段は、上記プリント手段によるプリントを実行するためのパスワードをメモリに記憶して登録するパスワード登録手段と、上記パスワードを入力するパスワード入力手段と、上記パスワード入力手段により入力されたパスワードと、上記パスワード登録手段により登録されたパスワードとを照合する照合手段とを有し、上記プリント手段は、上記照合手段により照合した２つのパスワードが一致した後に、上記特定の通信装置から送信された原稿情報をプリントすることを特徴とする実施態様４または５に記載の通信装置。
【００８８】
（実施態様７）  上記特定色は、赤色、緑色、及び青色のうちの少なくとも１色であることを特徴とする実施態様１〜６の何れか１態様に記載の通信装置。
【００８９】
（実施態様８）  複数色の中の１色をユーザからの指示に基づいて選択する特定色選択手段を有し、
上記プリント手段は、上記特定色選択手段により選択された色の情報を除いて上記原稿情報をプリントすることを特徴とする実施態様１〜７の何れか１態様に記載の通信装置。
【００９０】
（実施態様９）  上記特定色選択手段により選択可能な特定色は、赤色、緑色、または青色であることを特徴とする実施態様８に記載の通信装置。
【００９１】
（実施態様１０）  上記相手側の通信装置に対し、ＪＰＥＧ情報を受信することができるか否かを通知するＪＰＥＧ情報受信機能通知手段と、上記相手側の通信装置に対し、フルカラー情報を受信することができるか否かを通知するフルカラー情報受信機能通知手段と、上記ＪＰＥＧ情報受信機能通知手段による通知と、上記フルカラー情報受信機能通知手段による通知とを行った後に、上記相手側の通信装置から上記原稿情報を受信する受信手段とを有することを特徴とする実施態様１〜９の何れか１態様に記載の通信装置。
【００９２】
（実施態様１１）  上記相手側の通信装置に対し、ＪＰＥＧ情報を送信することを指定するＪＰＥＧ情報送信指定手段と、上記相手側の通信装置に対し、フルカラー情報を送信することを指定するフルカラー情報送信指定手段と、上記ＪＰＥＧ情報送信指定による指定と、上記フルカラー情報送信指定手段による指定とを行った後に、上記相手側の通信装置に上記原稿情報を送信する送信手段とを有することを特徴とする実施態様１〜１０の何れか１態様に記載の通信装置。
【００９３】
（実施態様１２）  通信回線を介して接続された相手側の通信装置から送信された原稿情報をプリントするプリント方法であって、特定色のプリントを許可する許可処理と、上記相手側の通信装置から送信された原稿情報のうち、上記許可処理により許可されない場合には特定色の情報をプリント対象外にし上記プリント対象外にした特定色の情報を除いて上記原稿情報をプリントするとともに上記許可処理により許可された場合には特定色の情報をプリント対象とするプリント処理を行うことを特徴とするプリント方法。
【００９４】
（実施態様１３）  上記相手側の通信装置が特定の通信装置であるか否かを判断する判断処理を行い、上記記憶処理は、上記判断処理により上記相手側の通信装置が特定の通信装置であると判断された場合に、上記原稿情報をメモリに記憶することを特徴とする実施態様１２に記載のプリント方法。
【００９５】
（実施態様１４）  上記許可処理は、上記プリント処理によるプリントを実行するためのパスワードをメモリに記憶して登録するパスワード登録処理と、上記パスワードを入力するパスワード入力処理と、上記パスワード入力処理により入力されたパスワードと、上記パスワード登録処理により登録されたパスワードとを照合する照合処理とを行い、上記プリント処理は、上記照合処理により照合した２つのパスワードが一致した後に、上記特定色の情報を含めて上記原稿情報をプリントすることを特徴とする実施態様１２または１３に記載のプリント方法。
【００９６】
（実施態様１５）  通信回線を介して接続された相手側の通信装置から送信された原稿情報をプリントするプリント方法であって、特定色のプリントを許可する許可処理と、上記相手側の通信装置から送信された原稿情報のうち、上記許可処理により許可されない場合には特定色の情報のみをプリント対象にし上記プリント対象にした特定色の情報のみをプリントするとともに上記許可処理により許可された場合には特定色の情報をプリント対象とするプリント処理を行うことを特徴とするプリント方法。
【００９７】
（実施態様１６）  上記相手側の通信装置が特定の通信装置であるか否かを判断する判断処理を行い、上記記憶処理は、上記判断処理により上記相手側の通信装置が特定の通信装置であると判断された場合に、上記原稿情報をメモリに記憶することを特徴とする実施態様１５に記載のプリント方法。
【００９８】
（実施態様１７）  上記許可処理は、上記プリント処理によるプリントを実行するためのパスワードをメモリに記憶して登録するパスワード登録処理と、上記パスワードを入力するパスワード入力処理と、上記パスワード入力処理により入力されたパスワードと、上記パスワード登録処理により登録されたパスワードとを照合する照合処理とを行い、上記プリント処理は、上記照合処理により照合した２つのパスワードが一致した後に、上記特定の通信装置から送信された原稿情報をプリントすることを特徴とする実施態様１５または１６に記載のプリント方法。
【００９９】
（実施態様１８）  上記特定色は、赤色、緑色、及び青色のうちの少なくとも１色であることを特徴とする実施態様１５〜１７の何れか１態様に記載のプリント方法。
【０１００】
（実施態様１９）  複数色の中の１色をユーザからの指示に基づいて選択する特定色選択処理を行い、上記プリント処理は、上記特定色選択処理により選択された色の情報を除いて上記原稿情報をプリントすることを特徴とする実施態様１２〜１８の何れか１態様に記載のプリント方法。
【０１０１】
（実施態様２０）  上記特定色選択処理により選択可能な特定色は、赤色、緑色、または青色であることを特徴とする実施態様１９に記載のプリント方法。
【０１０２】
（実施態様２１）  上記相手側の通信装置に対し、ＪＰＥＧ情報を受信することができるか否かを通知するＪＰＥＧ情報受信機能通知処理と、上記相手側の通信装置に対し、フルカラー情報を受信することができるか否かを通知するフルカラー情報受信機能通知処理と、上記ＪＰＥＧ情報受信機能通知処理による通知と、上記フルカラー情報受信機能通知処理による通知とを行った後に、上記相手側の通信装置から上記原稿情報を受信する受信処理とを行うことを特徴とする実施態様１２〜２０の何れか１態様に記載のプリント方法。
【０１０３】
（実施態様２２）  上記相手側の通信装置に対し、ＪＰＥＧ情報を送信することを指定するＪＰＥＧ情報送信指定処理と、上記相手側の通信装置に対し、フルカラー情報を送信することを指定するフルカラー情報送信指定処理と、上記ＪＰＥＧ情報送信指定による指定と、上記フルカラー情報送信指定処理による指定とを行った後に、上記相手側の通信装置に上記原稿情報を送信する送信処理とを行うことを特徴とする実施態様１２〜２１の何れか１態様に記載のプリント方法。
【０１０４】
（実施態様２３）  通信回線を介して接続された相手側の通信装置から送信された原稿情報をプリントするに際し、上記相手側の通信装置から送信された原稿情報のうち、特定色の情報をプリント対象外にし、上記プリント対象外にした特定色の情報を除いて上記原稿情報をプリントするプリント処理をコンピュータに実行させることを特徴とするコンピュータプログラム。
【０１０５】
（実施態様２４）  上記実施態様２３に記載のコンピュータプログラムを記録したことを特徴とするコンピュータ読み取り可能な記録媒体。
【０１０６】
【発明の効果】
以上説明したように本発明によれば、通信回線を介して接続された相手側の通信装置から送信された原稿情報の特定色のプリントが許可されない場合には特定色の情報をプリント対象外にし上記プリント対象外にした特定色の情報を除いて上記原稿情報をプリントする一方、特定色のプリントが許可された場合には特定色の情報をプリント対象とするようにしたので、上記原稿情報のうち、上記特定色の情報以外の色の情報のみをプリントすることができ、上記相手側の通信装置から送信された原稿情報の一部をプリントすることができるようになる。
【図面の簡単な説明】
【図１】本発明の第１の実施の形態を示し、ファクシミリ装置の構成の一例を示したブロック図である。
【図２】本発明の第１の実施の形態を示し、特定色をプリントする時のパスワードと、ＦＡＸ塾の電話番号とをメモリ回路に記憶する際の概念を示した図である。
【図３】本発明の第１の実施の形態を示し、ファクシミリ装置における制御動作の一例を説明するフローチャートである。
【図４】本発明の第１の実施の形態を示し、図３に続くファクシミリ装置における制御動作の一例を説明するフローチャートである。
【図５】本発明の第１の実施の形態を示し、図４に続くファクシミリ装置における制御動作の一例を説明するフローチャートである。
【図６】本発明の第１の実施の形態を示し、図３に続くファクシミリ装置における制御動作の一例を説明するフローチャートである。
【図７】本発明の第１の実施の形態を示し、図６に続くファクシミリ装置における制御動作の一例を説明するフローチャートである。
【図８】本発明の第２の実施の形態を示し、ファクシミリ装置における主要な制御動作の一例を説明するフローチャートである。
【図９】本発明の第３の実施の形態を示し、ファクシミリ装置における主要な制御動作の一例を説明するフローチャートである。
【図１０】本発明の第４の実施の形態を示し、ファクシミリ装置における主要な制御動作の一例を説明するフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
【図１】
2004193978.tif 000003
【図２】
2004193978.tif 000004
【図３】
2004193978.tif 000005
【図４】
2004193978.tif 000006
【図５】
2004193978.tif 000007
【図６】
2004193978.tif 000008
【図７】
2004193978.tif 000009
【図８】
2004193978.tif 000010
【図９】
2004193978.tif 000011
【図１０】
2004193978.tif 000012